(57)【要約】【課題】精度よく安定的に高品質のトナー像を形成することができる画像形成装置を得ることを目的とする。【解決手段】画像データに従った露光により静電潜像が形成される感光体１５と、感光体１５上に複数色のトナー像を非多重現像する現像器１，２，３，１３と、感光体１５に対向して圧接配置され、感光体１５と逆方向に回転して感光体１５より遅い線速で記録媒体２１を搬送して当該記録媒体２１に感光体１５上のトナー像を圧縮像として転写する転写ローラ３１とを有する画像形成装置とする。【選択図】図１
2005257988.tif 000002
【特許請求の範囲】
【請求項１】
画像データに従った露光により静電潜像が形成される感光体と、
前記感光体上に複数色のトナー像を非多重現像する現像器と、
前記感光体に対向して圧接配置され、前記感光体と逆方向に回転して前記感光体より遅い線速で記録媒体を搬送して当該記録媒体に前記感光体上のトナー像を圧縮像として転写する転写部材とを有することを特徴とする画像形成装置。
【請求項２】
画像データに従った露光により静電潜像を形成される感光体と、
前記感光体上に複数色のトナー像を非多重現像する現像器と、
前記感光体に対向して当該感光体と非接触配置され、前記感光体より遅い線速で記録媒体を搬送して当該記録媒体に前記感光体上のトナー像を圧縮像として転写する転写部材とを有することを特徴とする画像形成装置。
【請求項３】
画像データに従った露光により静電潜像を形成される感光体と、
前記感光体上に複数色のトナー像を非多重現像する現像器と、
前記感光体に対向して圧接配置され、前記感光体と同一方向で、且つ前記感光体より遅い周速で回転して前記感光体上のトナー像が圧縮像として転写される中間転写体と、
前記中間転写体に圧接配置され、記録媒体を搬送して当該記録媒体に前記中間転写体上のトナー像を転写する転写部材とを有することを特徴とする画像形成装置。
【請求項４】
画像データに従った露光により静電潜像を形成される感光体と、
前記感光体上に複数色のトナー像を非多重現像する現像器と、
前記感光体に対向して当該感光体と非接触配置され、前記感光体と同一方向で、且つ前記感光体より遅い周速で回転して前記感光体上のトナー像が圧縮像として転写される中間転写体と、
前記中間転写体に圧接配置され、記録媒体を搬送して当該記録媒体に前記中間転写体上のトナー像を転写する転写部材とを有することを特徴とする画像形成装置。
【請求項５】
前記中間転写体の周囲には、当該中間転写体を一様に所定電位に帯電する帯電器および前記中間転写体上に前記感光体に形成された静電潜像の圧縮像を形成する露光器が対向配置され、
前記感光体に形成された前記トナー像は前記中間転写体に順次圧縮されたトナー像として転写形成されることを特徴とする請求項３または４記載の画像形成装置。
【請求項６】
前記中間転写体上に形成された静電潜像の潜像電位は周期的に多段分割形成されていることを特徴とする請求項５記載の画像形成装置。
【請求項７】
前記中間転写体のクリーニング時は、前記中間転写体上のトナーが前記感光体に逆飛翔するように前記中間転写体上の表面電位を記録媒体への非転写間隔に応じて形成することを特徴とする請求項５または６記載の画像形成装置。
【請求項８】
前記感光体に前記トナー像が形成されたならば、当該トナー像上から再帯電されることを特徴とする請求項１〜７の何れか一項に記載の画像形成装置。
【発明の詳細な説明】
【技術分野】
【０００１】
本発明は、画像形成装置に関し、特に感光体上に形成されたトナー像をカラーバランスの悪化抑制に適用して有効な技術に関するものである。
【背景技術】
【０００２】
今日、帯電、露光、現像を複数回繰り返して電子写真感光体（以下、「感光体」という。）上に色の異なる複数のトナー像を形成した後、トナー像を紙に一括転写してカラー画像を得るカラー電子写真装置が盛んに検討されている。この技術は、従来のカラー電子写真装置と異なり、転写ドラムがなく装置を小型化できるという利点を有している。
【０００３】
この種のカラー電子写真装置は、例えば（特許文献１）に開示されている。以下、この技術について図１５を用いて説明する。
【０００４】
現像器１，２，３は直流電界でトナーを飛翔させる非接触型の非磁性１成分現像器で、現像ローラ７，８，９と接触した導電性のファーブラシ４，５，６でトナーを摩擦帯電し、アルミニウム製の現像ローラ７，８，９上に、ブレード１０，１１，１２によりトナーの薄層を形成する構成になっている。現像器１にはイエロー（Ｙ）、現像器２にはマゼンタ（Ｍ）、現像器３にはシアン（Ｃ）の絶縁性トナーが入っている。現像器３の近傍に位置する現像器１３は２成分現像剤の入った接触型現像器である。この現像器１３にも、前述と同様のブレード２９、ファーブラシ４１、現像ローラ１４が設けられている。
【０００５】
そして、現像ローラ７，８，９，１４と感光体１５との間隙（現像ギャップ）を一定にして、各現像器７，８，９，１４が感光体１５の周辺に対向設置されている。なお、各現像ローラ７，８，９，１４には、現像時には感光体１５に接近し、非現像時には離間する離接機構が取り付けられている。
【０００６】
感光体１５として、赤外領域に長波長増感した直径１５２ｍｍの無定型Ｓｅ−Ｔｅ感光体ドラムを用い、周速１６０ｍｍ／ｓで回転される。そして、この感光体１５を帯電器１６（スコロトロン帯電器、コロナ電圧：＋７ｋＶ、グリッド電圧：１ｋＶ）により帯電電位＋９００Ｖに帯電させておき、波長７９０ｎｍの半導体レーザ１７を発光させて露光する。このように半導体レーザ１７を用いて、感光体１５上にネガの黒信号を露光し静電潜像を形成する。そして、潜像を現像ローラ１４に＋６００Ｖを印加した現像状態の黒の現像器１３で反転現像して黒のトナー像を形成した後、除電ランプ１８で感光体１５を除電する。
【０００７】
次に、再びコロナ帯電器１６で感光体１５を＋６００Ｖに帯電する。その後、感光体１５に半導体レーザ１７によりイエローに対応する信号光を露光してイエローの静電潜像を形成する。次に、この感光体１５を現像ローラ７に＋６００Ｖを印加した現像状態のイエローの現像器１および非現像状態のマゼンタ現像器２、シアン現像器３および黒現像器１３に通過させてイエローのトナー像を形成する。次に、今度はこの感光体１５を除電すること無く、そのまま再びコロナ帯電器１６によって感光体１５を＋８１０Ｖに帯電する。その後、半導体レーザ１７によりマゼンタに対応する信号光を露光しマゼンタの静電潜像を形成する。さらに、感光体１５を非現像状態のイエロー現像器１、現像ローラ８に＋８００Ｖを印加した現像状態のマゼンタ現像器２に通過させてマゼンタのトナー像を形成する。その後、感光体１５を非現像状態のシアン現像器３および黒現像器１４に通過させる。
【０００８】
次に、今度は感光体１５を交流コロナ帯電器１９（印加電圧；５ｋＶｒｍｓ）でコロナ爆露し、再びコロナ帯電器１６によって感光体１５を＋８００Ｖに帯電する。その後、半導体レーザ１７によりシアンに対応する信号光を露光しシアンの静電潜像を形成する。次に、感光体１５を非現像状態のイエロー現像器１およびマゼンタの現像器２、現像ローラ９に＋８００Ｖを印加した現像状態のシアン現像器３に通過させてシアンのトナー像を形成し感光体１５上にカラー画像を完成する。
【０００９】
こうして感光体１５上に得られたカラートナー多重像を転写帯電器２０によって記録媒体である紙２１に一括転写した後、定着器２２により熱定着する。一方、トナー像転写後の感光体１５の表面を、クリーニング前帯電器２３（コロナ電圧＋５．５ｋＶ）でプラスに帯電した後、−１５０Ｖの電圧を印加した導電性ファーブラシ２４を感光体１５に圧接しクリーニングする。
【特許文献１】特開昭６３−１７２２８６号公報
【発明の開示】
【発明が解決しようとする課題】
【００１０】
しかしながら、従来の構成では記録媒体上に出力する画像を、一旦感光体上にブラック、イエロー、マゼンタ、シアンの順にトナー像を重ねなければならないため、感光体が記録媒体とほぼ同程度の周長を必要とし、感光体自体が大型化、ひいては装置そのものが大型化する。
【００１１】
また、カラー像形成時はブラック、イエロー、マゼンタ、シアンの現像動作、すなわち、帯電、露光、現像が各色毎に４回繰り返されるため、１色現像している間に、他色の現像動作は静止しており、感光体上の画像形成時間を長く必要とし印刷速度が低下する。
【００１２】
さらに、感光体上で画像を重ねるために２色目以降の潜像形成時はトナー像の上から露光光を照射して感光体上に静電潜像を形成しなければならないので、トナー表層面での光りの散乱反射、トナー自体による光の吸収により１色目の露光量に比べ、２色目、３色目とトナー像が感光体上に重なるにつれて感光体に届く光の量が少なくなる。すると、各色の静電潜像量が減少し、１色目のトナー現像量に比較して２色目以降のトナー現像量が少なくなる。
【００１３】
また、２色目以降はトナーの有無領域すなわち感光体上でのトナー量が異なる領域が発生するので、そこに同一光量の光りを照射すると、トナーのある部分と無い部分や感光体上のトナー量の違いによりトナーの無い部分またはトナー量の少ない部分は透過光量が大きくなり潜像量が大きくなる。それに対して、トナーのある部分あるいはトナー層の重なる量が多い部分は透過光量が少なく潜像量が小さくなる。
【００１４】
さらには、トナー像が形成された上から感光体の表面を帯電しているので、トナー像そのものの帯電電荷量だけ感光体上の帯電量が減少し、潜像形成後の感光体の表面電位と潜像電位の差すなわちコントラスト電位が感光体表面上のトナー量の差により不均一になる。その結果、トナー現像電位が感光体の場所によって異なり、そこに現像されるトナー量も異なる。
【００１５】
以上のように、従来の技術では、感光体上の潜像量が感光体上の場所やトナー色の重なり数により変化し、その潜像量の大小に比例してトナーの現像量が変わり、感光体上のカラーバランスが悪化するという問題点を有していた。
【００１６】
そこで、本発明は、精度よく安定的に高品質のトナー像を形成することができる画像形成装置を提供することを目的とする。
【課題を解決するための手段】
【００１７】
この課題を解決するために、本発明の画像形成装置は、画像データに従った露光により静電潜像が形成される感光体と、感光体上に複数色のトナー像を非多重現像する現像器と、感光体に対向して圧接配置され、感光体と逆方向に回転して感光体より遅い線速で記録媒体を搬送して当該記録媒体に感光体上のトナー像を圧縮像として転写する転写部材とを有する構成としたものである。
【００１８】
また、この課題を解決するために、本発明の画像形成装置は、画像データに従った露光により静電潜像を形成される感光体と、感光体上に複数色のトナー像を非多重現像する現像器と、感光体に対向して当該感光体と非接触配置され、感光体より遅い線速で記録媒体を搬送して当該記録媒体に感光体上のトナー像を圧縮像として転写する転写部材とを有する構成としたものである。
【００１９】
さらに、この課題を解決するために、本発明の画像形成装置は、画像データに従った露光により静電潜像を形成される感光体と、感光体上に複数色のトナー像を非多重現像する現像器と、感光体に対向して圧接配置され、感光体と同一方向で、且つ感光体より遅い周速で回転して感光体上のトナー像が圧縮像として転写される中間転写体と、中間転写体に圧接配置され、記録媒体を搬送して当該記録媒体に中間転写体上のトナー像を転写する転写部材とを有する構成としたものである。
【００２０】
そして、この課題を解決するために、本発明の画像形成装置は、画像データに従った露光により静電潜像を形成される感光体と、感光体上に複数色のトナー像を非多重現像する現像器と、感光体に対向して当該感光体と非接触配置され、感光体と同一方向で、且つ感光体より遅い周速で回転して感光体上のトナー像が圧縮像として転写される中間転写体と、中間転写体に圧接配置され、記録媒体を搬送して当該記録媒体に中間転写体上のトナー像を転写する転写部材とを有する構成としたものである。
【００２１】
本発明の好ましい形態において、中間転写体の周囲には、当該中間転写体を一様に所定電位に帯電する帯電器および中間転写体上に感光体に形成された静電潜像の圧縮像を形成する露光器が対向配置され、感光体に形成されたトナー像は中間転写体に順次圧縮されたトナー像として転写形成される。
【００２２】
本発明のさらに好ましい形態において、中間転写体上に形成された静電潜像の潜像電位は周期的に多段分割形成されている。
【００２３】
本発明のさらに好ましい形態において、中間転写体のクリーニング時は、中間転写体上のトナーが感光体に逆飛翔するように中間転写体上の表面電位を記録媒体への非転写間隔に応じて形成する。
【００２４】
本発明のさらに好ましい形態において、感光体にトナー像が形成されたならば、当該トナー像上から再帯電される。
【発明の効果】
【００２５】
本発明によれば、感光体上の非多重トナー像を圧縮像にして記録媒体に形成しているので、トナー現像量の変動によるカラーバランスの悪化が抑制され、精度よく安定的に高品質のトナー像を形成することができるという有効な効果が得られる。
【発明を実施するための最良の形態】
【００２６】
本発明の請求項１に記載の発明は、画像データに従った露光により静電潜像が形成され
る感光体と、感光体上に複数色のトナー像を非多重現像する現像器と、感光体に対向して圧接配置され、感光体と逆方向に回転して感光体より遅い線速で記録媒体を搬送して当該記録媒体に感光体上のトナー像を圧縮像として転写する転写部材とを有する画像形成装置であり、トナー現像量の変動によるカラーバランスの悪化が抑制され、精度よく安定的に高品質のトナー像を形成することができるという作用を有する。
【００２７】
本発明の請求項２に記載の発明は、画像データに従った露光により静電潜像を形成される感光体と、感光体上に複数色のトナー像を非多重現像する現像器と、感光体に対向して当該感光体と非接触配置され、感光体より遅い線速で記録媒体を搬送して当該記録媒体に感光体上のトナー像を圧縮像として転写する転写部材とを有する画像形成装置であり、トナー現像量の変動によるカラーバランスの悪化が抑制され、精度よく安定的に高品質のトナー像を形成することができるという作用を有する。
【００２８】
本発明の請求項３に記載の発明は、画像データに従った露光により静電潜像を形成される感光体と、感光体上に複数色のトナー像を非多重現像する現像器と、感光体に対向して圧接配置され、感光体と同一方向で、且つ感光体より遅い周速で回転して感光体上のトナー像が圧縮像として転写される中間転写体と、中間転写体に圧接配置され、記録媒体を搬送して当該記録媒体に中間転写体上のトナー像を転写する転写部材とを有する画像形成装置であり、トナー現像量の変動によるカラーバランスの悪化が抑制され、精度よく安定的に高品質のトナー像を形成することができるという作用を有する。
【００２９】
本発明の請求項４に記載の発明は、画像データに従った露光により静電潜像を形成される感光体と、感光体上に複数色のトナー像を非多重現像する現像器と、感光体に対向して当該感光体と非接触配置され、感光体と同一方向で、且つ感光体より遅い周速で回転して感光体上のトナー像が圧縮像として転写される中間転写体と、中間転写体に圧接配置され、記録媒体を搬送して当該記録媒体に中間転写体上のトナー像を転写する転写部材とを有する画像形成装置であり、トナー現像量の変動によるカラーバランスの悪化が抑制され、精度よく安定的に高品質のトナー像を形成することができるという作用を有する。
【００３０】
本発明の請求項５に記載の発明は、請求項３または４記載の発明において、中間転写体の周囲には、当該中間転写体を一様に所定電位に帯電する帯電器および中間転写体上に感光体に形成された静電潜像の圧縮像を形成する露光器が対向配置され、感光体に形成されたトナー像は中間転写体に順次圧縮されたトナー像として転写形成される画像形成装置であり、中間転写体の区画化された転写領域に感光体上のトナー像を飛散等なく精度よく転写することができるという作用を有する。
【００３１】
本発明の請求項６に記載の発明は、請求項５記載の発明において、中間転写体上に形成された静電潜像の潜像電位は周期的に多段分割形成されている画像形成装置であり、感光体上のトナー像の飛翔領域を中間転写体上に区画配置可能であり、感光体上のトナー像をさらに精度よく圧縮転写像することが可能になるという作用を有する。
【００３２】
本発明の請求項７に記載の発明は、請求項５または６記載の発明において、中間転写体のクリーニング時は、中間転写体上のトナーが感光体に逆飛翔するように中間転写体上の表面電位を記録媒体への非転写間隔に応じて形成する画像形成装置であり、ジャム等による印字プロセス中断時等で発生した感光体や中間転写体上に残った不要なトナーを効率よく除去できるという作用を有する。
【００３３】
本発明の請求項８に記載の発明は、請求項１〜７の何れか一項に記載の発明において、感光体にトナー像が形成されたならば、当該トナー像上から再帯電される画像形成装置であり、トナーの有無にかかわらず転写前の感光体上の表面電位を均一化してトナー像をさ
らに精度よく次媒体に転写することができるという作用を有する。
【００３４】
以下、本発明を実施するための最良の形態を、図面を参照しつつさらに具体的に説明する。ここで、添付図面において同一の部材には同一の符号を付しており、また、重複した説明は省略されている。さらに、従来技術の説明に用いた図１５と同一の部材にも同一の符号を付しており、また、重複した説明は省略されている。なお、ここでの説明は本発明が実施される最良の形態であることから、本発明は当該形態に限定されるものではない。
【００３５】
図１は本発明の一実施の形態である画像形成装置を示す概略図、図２は図１の画像形成装置における６００ｄｐｉの解像度変換を示す説明図、図３は解像度変化における第１の解像度変換を示す説明図、図４は図１の画像形成装置における２４００ｄｐｉの解像度変換を示す説明図、図５は図１の画像形成装置における１２００ｄｐｉの解像度変換を示す説明図、図６は解像度変換における第２の解像度変化を示す説明図、図７は１２００ｄｐｉ解像度圧縮変換を示す説明図、図８は３００ｄｐｉ解像度圧縮変換を示す説明図、図９は図１の画像形成装置における第１の多諧調変換を示す説明図、図１０は図１の画像形成装置における第２の多諧調変化を示す説明図、図１１は本発明の他の実施の形態である画像形成装置を示す概略図、図１２は本発明のさらに他の実施の形態である画像形成装置を示す概略図、図１３は画像形成装置における多段転写潜像電位を示す説明図、図１４は本発明のさらに他の実施の形態である画像形成装置を示す概略図である。
【００３６】
図１において、２成分現像器１，２，３，１３には、平行に配置された２本のスパイラル溝が形成されており、現像剤であるキャリアとトナーを攪拌して帯電させている。静電潜像担持体である感光体１５の周囲に対向配置されたＬＥＤヘッド２５，２６，２７，２８は、画像データに従って６００ｄｐｉの主走査方向解像度で感光体１５の表面に静電潜像を形成する。感光体１５の近傍には、感光体１５の表面を均一に負帯電させる帯電器１６が配置されている。また、現像器１，２，３，１３中の現像剤を現像スリーブ３２，３３，３４，３５の表層に均一な厚みで薄層化するため、ブレード１０，１１，１２，２９が現像スリーブ３２，３３，３４，３５に対向して狭ギャップで配置されている。
【００３７】
さらに、感光体１５上の不要トナーおよび紙紛等を除去するため、感光体１５にウレタンゴム板を当接させて記録媒体２１上に感光体１５に形成されたトナー像を剥ぎ取るクリーナ３０が設置されている。
【００３８】
そして、感光体１５上のトナー像を記録媒体２１上に転写形成するため、感光体１５との間に電界を形成させるための転写ローラ（転写部材）３１が設けられている。
【００３９】
次に、このように組み立てられた画像形成装置について、その動作を説明する。
【００４０】
現像器１，２，３，１３は直流電界でトナーを飛翔させる非接触型の非磁性２成分現像器である。現像器１，２，３，１３内中のトナーは表面に樹脂コートされた磁性キャリアとの間で搬送時に摩擦帯電され、静電気力、分子間力でキャリア表面に均一に付着している。現像スリーブ３２，３３，３４，３５は、トナーが表面に均一に付着した磁性キャリアの搬送力を高めるために、非磁性体でアルミニウムの円筒管の表面をサンドブラストまたは転造等により粗面加工され、円筒管内部に複数極の磁性体が軸方向に非回動状態で配置されている。
【００４１】
現像スリーブ３２，３３，３４，３５の円周部には、現像スリーブ３２，３３，３４，３５の表層に吸引されたキャリア量を均一に薄層化するために、非磁性のステンレス等で形成されたブレード１０，１１，１２，２９が配置されている。
【００４２】
現像器１にはイエロー（Ｙ）、現像器２にはマゼンタ（Ｍ）、現像器３にはシアン（Ｃ）の絶縁性トナー、現像器１３にはブラック（Ｋ）の絶縁性トナーが収納されている。そして、現像スリーブ３２，３３，３４，３５が、感光体１５との間隙（現像ギャップ）を一定にして、現像スリーブ３２，３３，３４，３５表層のキャリアが感光体１５に非接触になるように対向して設置されている。
【００４３】
ここで、各色の現像器１，２，３，１３の仕様および現像条件を以下に示す。
【００４４】
現像スリーブ３２，３３，３４，３５の直径１６ｍｍ、周速１５０ｍｍ／ｓで、その回転方向は感光体１５と逆方向（同進行方向）である。また、現像スリーブ３２，３３，３４，３５上の現像剤層厚２００μｍ、現像ギャップ（現像ローラの表面と感光体の表面間のギャップ）３００μｍである。現像剤はトナーとキャリアの２成分現像剤で、キャリアの平均粒径約３０μｍ、キャリアの種類はテフロン（登録商標）コートフェライトである。そして、トナー電荷量−１５〜２０μＣ／ｇ、トナー平均粒径５．６μｍ（乳化重合トナー）、トナー比誘電率約２である。
【００４５】
感光体１５として、直径６０ｍｍの有機感光体ドラム（感光層の厚み３０μｍ、比誘電率約３、機能有機感光体、波長６８０ｎｍでの半減露光量０．３μＪ／ｃｍ2、最外層のＣＴＬ層に低摩擦ポリカーボネートのバインダ樹脂）を用い、周速１００ｍｍ／ｓで回転させた。この感光体１５を帯電器１６（スコロトロン帯電器、コロナ電圧：＋７ｋＶ、グリッド電圧：−８００Ｖ）により帯電電位−７００Ｖに帯電させた。ここでの感光体１５はＡｌの円筒管を基材とした剛体上の形態であるが、１００μｍＡＬフイルムベース上にＣＧＭ、ＣＴＬ層を多層形成したフイルム状の感光体でもよい。
【００４６】
次に、波長６８０ｎｍのＬＥＤヘッド２５を発光させて感光体１５を露光した。このとき、感光体面上での光強度は０．２ｍＷであった。このＬＥＤヘッド２５を用いて感光体１５上にネガのイエロー信号を露光し、静電潜像を形成した。この潜像を現像スリーブ３２に−５００Ｖを印加した現像状態のイエローの現像器１で反転現像し、イエローのトナー像を形成した。
【００４７】
このとき、感光体１５上に現像されたイエローのトナー層数は１層から２層であり、トナー層の厚みは１０〜１５μｍであった。
【００４８】
次に、再び感光体１５にＬＥＤヘッド２６によりマゼンタに対応する信号光を露光し、マゼンタの静電潜像を形成した。ここでは、ＬＥＤヘッド２６の露光量を感光体面上で０．２ｍＷにした。次に、この感光体１５を現像スリーブ３３に−５００Ｖを印加した現像状態のマゼンタの現像器２を通過させてマゼンタのトナー像を形成した。その後、ＬＥＤヘッド２７によりシアンに対応する信号光を露光し、シアンの静電潜像を形成した。そして、感光体１５を現像スリーブ３４に−５００Ｖを印加した現像状態のシアン現像器３に通過させてシアンのトナー像を形成した。
【００４９】
その後、ＬＥＤヘッド２８によりブラックに対応する信号光を露光し、ブラックの静電潜像を形成した。そして、感光体１５を現像スリーブ３５に−５００Ｖを印加した現像状態のブラックの現像器１３に通過させてブラックのトナー像を形成し、感光体１５上にカラー画像を完成した。
【００５０】
このとき、感光体１５上のイエローとマゼンタとシアンとブラックのトナー層は非多重状態であり、そのトナー層数は１層から２層であり、その厚みは１０〜１５μｍであった。
【００５１】
次に、感光体１５の回転に同期して図示しないレジストローラから記録媒体２１が感光体１５の回転方向と対向方向に搬送給紙される。給紙された記録媒体２１の先端は、先ず感光体１５に対向配置された転写ローラ３１（抵抗値１０-8Ωｃｍの導電性の発泡ウレタンで外径φ２４ｍｍ、表層のスキン層厚０．５ｍｍのものに定電流制御により転写印加電位２ｋＶ）の最外層より軸側に接触し、高圧に印加され十分に表面電荷を蓄えた転写ローラ３１に静電吸着されて記録媒体自身が帯電され、転写ローラ３１の回転に伴って搬送される。
【００５２】
そして、記録媒体２１が感光体１５と転写ローラ３１との間を通過する際、非多重トナー像を保持した感光体１５は記録媒体２１の搬送速度より速い周速で回転するので、イエロー、マゼンタ、シアン、ブラックの順に感光体１５上に形成されている非多重トナー像は、順次記録媒体２１へ圧縮飛翔する。
【００５３】
この時、感光体１５上の非多重トナー像は記録媒体２１に最接近した時に感光体１５の表面電位と記録媒体２１の表面電位差、およびトナーの電荷により発生するクーロン力により感光体１５から記録媒体２１へ接触すると同時に飛翔転写する。
【００５４】
トナー飛翔後の感光体１５は記録媒体２１に接触しつつ回転するが、感光体１５の表層はＣＴＬ層のバインダー樹脂が低摩擦のポリカーボネートで形成されているため、記録媒体２１との摩擦力で転写ローラ３１に静電吸着した記録媒体２１の搬送を止める等の悪影響を及ぼすことは無く、またトナーに転写性の良い重合トナーを採用することで転写効率が十分高いので、転写後の感光体１５上の残留転写トナーが記録媒体２１に転写されるいわゆる地かぶり状態になることも無い。
【００５５】
なお、ここでは、感光体１５とこの感光体１５に圧接配置された転写ローラ３１との間に記録媒体２１が通紙転写される状態を説明しているが、感光体と転写ローラが非接触であり、記録媒体が転写ローラあるいはベルト状の静電気により静電吸着されながら通紙されて同時に感光体からのトナー像が転写される形態の場合、感光体と転写ローラの摩擦によりトナーにかかるズリ応力が低減でき、より精度の良い転写が可能である。
【００５６】
ここで、感光体１５から記録媒体２１へトナー像を圧縮転写する際における感光体１５と記録媒体２１との速度差について、図２の６００ｄｐｉの解像度変換を示す。
【００５７】
感光体１５上のトナー像が転写ローラ３１を通過するタイミングに合わせて次媒体である記録媒体２１が搬送されるが、記録媒体２１上に６００ｄｐｉの解像度の多重転写像を形成する場合、記録媒体２１の搬送速度は感光体１５の周速に対して１／４の速度であり、同様に感光体１５上に形成されるトナー像の解像度が６００ｄｐｉで、イエロー、マゼンタ、シアン、ブラックの順に非多重トナー像として副走査方向に形成される。
【００５８】
そして、非多重像であるため、通常の多重トナー像の場合に比べて４倍長のトナー像が感光体１５上に順次形成されている。つまり、入力される画像データは４色とも６００ｄｐｉの解像度で形成されるが、感光体１５上の各色トナー像のラスターピッチは１５０ｄｐｉ間隔で順次配置されている。すなわち、１５０ｄｐｉ間隔の間に６００ｄｐｉピッチで４色それぞれのトナーが順番にイエロー、マゼンタ、シアン、ブラックと繰り返し形成されるため、トナーの上から潜像を形成し、さらにトナーの上にトナーを積み上げる多重現像像に比較して現像状態での画像長は４倍長くなる。しかしながら、次媒体の速度は感光体１５の速度に対して１／４倍速と遅くしているため、感光体上のトナー像は次媒体である記録媒体２１上に１／４倍に圧縮された多重像となる。
【００５９】
図３は第１の解像度変化表であり、感光体上に形成される各種のトナー解像度とその画
像長および感光体上のトナー像が次媒体へ圧縮飛翔転写した後の解像度、感光体速度と次媒体の周速比を表している。この表では、主に感光体に高解像度形成したトナー像を次媒体上に低解像度化してトナーの多層量を増幅させることが可能であることを示している。
【００６０】
図２においては、感光体上のトナー像の副走査解像度を６００ｄｐｉとしたが、これに対して、図４は２４００ｄｐｉの解像度変換を示している。この図では、感光体上に副走査解像度を２４００ｄｐｉとした非多重トナー像で副走査解像度が６００ｄｐｉの多重画像長と等倍のトナー像を形成し、次媒体上に副走査解像度が６００ｄｐｉのトナー像を圧縮多重形成する場合のトナー配置を示している。また、図５は１２００ｄｐｉの解像度変換を示している。この図では、感光体上に副走査解像度を１２００ｄｐｉとした非多重トナー像で副走査解像度が６００ｄｐｉの多重画像長の２倍長のトナー像を形成し、次媒体上に副走査解像度が６００ｄｐｉのトナー像を圧縮多重形成する場合のトナー配置を示している。
【００６１】
このように、感光体上に高解像度の非多重トナー像を形成する場合、副走査解像度が６００ｄｐｉの多重トナー像と等倍長の非多重トナー像を感光体上に２４００ｄｐｉで形成し、次媒体である記録媒体の速度を感光体と等倍速にすることで、記録媒体上に副走査解像度が６００ｄｐｉの圧縮多重像を形成することが可能であり、同様に、６００ｄｐｉの多重トナー像の２倍長の非多重トナー像を感光体上に副走査解像度を１２００ｄｐｉで形成し、次媒体である記録媒体の速度を感光体の２倍速にすることで、記録媒体上に副走査解像度が６００ｄｐｉの圧縮多重像を形成することが可能である。
【００６２】
さらには、上記の副走査解像度が６００ｄｐｉ、１２００ｄｐｉ、２４００ｄｐｉの多重トナー像を感光体上に形成し、同時に次媒体の線速度も感光体の速度と同一速度とすれば、記録媒体の搬送速度を感光体速度と同一速度に向上でき、結果としてスループットが向上する。
【００６３】
また、副走査解像度が６００ｄｐｉの多重データ長で６００ｄｐｉの１画素をブラック、シアン、マゼンタ、イエロー各色で２４００ｄｐｉの解像度データに分割非多重構成し、感光体と記録媒体の速度を同一にして記録媒体上に副走査解像度が６００ｄｐｉの解像度で非多重転写すれば、感光体の速度に等しい速度で転写像を記録媒体上に形成することが可能であるため、通常の多重トナー像に比べて使用するトナー量が１／４と少量化できる。
【００６４】
さらには、記録媒体の多重トナー像を転写工程後の定着器にて溶解、押圧して記録媒体上にトナー像を定着すれば、トナー量の多い多重トナー像であれば定着器からの供給熱量が追従できずにシステム全体のスループットの低下を招くが、記録媒体上のトナー像を薄層化できて定着器での単位時間当りの熱供給量の低減が可能となり、定着器での処理速度低下を招くことなく高速で、しかも低トナー消費量の簡易的なカラー像出力モードを実現することが可能になる。
【００６５】
図６は第２の解像度変化表であり、感光体上に形成する各種のトナー解像度とその画像長および感光体上のトナー像が次媒体へ圧縮飛翔転写した後の解像度、感光体速度と次媒体の周速比を表している。この表では、主に感光体に低解像度形成したトナー像を次媒体上に高解像度化してトナー像を形成させることが可能であることを示している。
【００６６】
図７は１２００ｄｐｉの解像度圧縮変換を示している。この図では、感光体上の非多重トナー像の副走査解像度が６００ｄｐｉで画像長が６００ｄｐｉの多重トナー像の８倍長の画像で形成し、次媒体の速度を１／８倍の速度にすると、次媒体上に１２００ｄｐｉの多重像が形成可能であり、同様に感光体上の非多重トナー像の副走査解像度が６００ｄｐ
ｉで画像長が６００ｄｐｉの多重トナー像の１６倍長の画像で形成し、次媒体の速度を１／１６倍の速度にすると、転写媒体上に２４００ｄｐｉの多重像が形成可能であることがわかる。
【００６７】
さらには、図８は３００ｄｐｉの解像度圧縮変換を示しており、感光体上の非多重トナー像の副走査解像度が６００ｄｐｉでブラック（Ｋ）、シアン（Ｃ）、マゼンタ（Ｍ）、イエロー（Ｙ）の各トナー像を３００ｄｐｉピッチで間欠配置し、画像長が６００ｄｐｉの多重トナー像の４倍長の画像で形成し、次媒体の速度を１／４倍の速度にすると、転写媒体上に３００ｄｐｉの多重像が形成可能であることがわかる。
【００６８】
以上の説明では、主に感光体１５上にカラーのトナー像を形成し、感光体１５から記録媒体２１へ圧縮もしくは解像度を伸長転写する技術について述べたが、ブラック単色のトナー像を形成するいわゆるモノクロ機においても、感光体上に展開したトナー像を記録媒体上へ圧縮伸長して高濃度もしくは低濃度のトナー像を容易に転写形成することが可能である。
【００６９】
前述の説明は、主に感光体１５上にＫ，Ｃ，Ｍ，Ｙ各１層の非多重トナー像を感光体１５上に形成し、次媒体上で圧縮多重像を形成する技術について述べたが、感光体上に非多重トナー像を複数形成し、次媒体上に多層の圧縮多重像を形成する技術を図９を用いて説明する。
【００７０】
図９は第１の多諧調変化を示しており、感光体１５上には、各色毎の副走査解像度が２４００ｄｐｉで、Ｙ１，Ｍ１，Ｃ１，Ｋ１を１セグメントとすると、副走査方向の解像度が６００ｄｐｉのトナー像が４セグメント繰り返し配置されている。
【００７１】
この画像長は副走査解像度が６００ｄｐｉで多重画像長の４倍長であり、感光体１５の周速を１とすると次媒体長の周速は１／４倍に設定されているので、記録媒体上にＹ１，Ｍ１，Ｃ１，Ｋ１の１セグメント層が４層繰り返し多層転写される。
【００７２】
感光体１５上のトナー像は、例えばＹの場合Ｙ１〜Ｙ４まで４段階に２４００ｄｐｉのトナー像エリアが選択可能である。Ｍ、Ｃ、Ｋも同様に４段階のトナー像エリアが選択可能である。この感光体１５上のトナー像が速度の違う次媒体上に圧縮形成されると、６００ｄｐｉを１画素とすると各色が４段階のトナー量を制御することが可能になる。
【００７３】
図１０は第２の多諧調変化を示しており、感光体上の各色トナー像の副走査解像度が２４００ｄｐｉで、Ｙ１，Ｙ２，Ｙ３，Ｙ４を１セグメントとすると、副走査方向解像度が６００ｄｐｉのトナー像が４セグメントＹ、Ｍ、Ｃ、Ｋと４色毎に配置されている。この画像長は副走査解像度が６００ｄｐｉで多重画像長の４倍長であり、感光体の周速に対して次媒体長の周速を１／４倍にすると、記録媒体上にＹ１，Ｙ２，Ｙ３，Ｙ４の１セグメント層が各色４層繰り返し多層転写される。
【００７４】
感光体１５上のトナー像は、例えばＹの場合Ｙ１〜Ｙ４まで４段階に２４００ｄｐｉのトナー像エリアが選択可能である。Ｍ、Ｃ、Ｋも同様に４段階の画像エリアが選択可能である。この感光体１５上のトナー像が速度の違う次媒体上に圧縮形成されると、６００ｄｐｉを１画素とすると各色が４段階のトナー量を制御することが可能になる。
【００７５】
つまり、感光体１５上に形成するトナー像は非多重トナー像であり、精度よく潜像形成が可能となり、感光体１５上に形成するトナー像も高解像度に現像できるので、従来の多重トナー像では形成不可能であった解像度まで感光体１５上にトナー像を形成して次媒体上に転写像を多層多諧調で形成することが可能であり、次媒体上の階調性を飛躍的に高め
ることができる。
【００７６】
次に、図１１は中間転写体での圧縮転写の構成を示す図であり、感光体１５と記録媒体２１との間に中間転写体である中間転写ローラ３６を配置して感光体１５上の非多重トナー像を中間転写ローラ３６上に一旦転写した後、この中間転写ローラ３６に圧接配置された転写ローラ３１と中間転写ローラ３６から記録媒体２１へ再びトナー像を２次転写する技術を示している。
【００７７】
感光体１５上の非多重トナー像の生成およびこの感光体１５に圧接配置された中間転写ローラ３６への画像圧縮ならびに感光体周辺の像形成装置構成については感光体１５から記録媒体２１へ直接転写する場合に説明したものと同様な構成、手順で実現される。
【００７８】
感光体１５の表層に形成された非多重トナー像は次媒体で、感光体１５に接触対向配置した中間転写体である中間転写ローラ３６に圧縮転写される。中間転写ローラ３６は抵抗値１０-8Ωｃｍの発泡半導電性エラストマー、外径φ２４ｍｍ、硬度ＪＩＳ  Ａ３５度、表層のスキン層厚０．２ｍｍに定電流制御により印加電位＋８００Ｖで感光体１５と同一方向に回転し、さらに感光体１５と中間転写ローラ３６の食い込み量を０．３ｍｍとしている。ここで使用する発泡半導電性エラストマーは低硬度で、かつ中〜低導電性が得られ、圧縮永久歪みが小さく体積固有抵抗を１０6〜１０9Ω・ｃｍの間で任意に設定可能で、さらには温度、湿度の変動に対して体積固有抵抗の安定性が高い。
【００７９】
感光体１５上に形成されたトナー像の進行方向に対して対向方向に回転する中間転写ローラ３６の接触境界部で感光体１５と中間転写ローラ３６との間の電位差、およびトナー自身の帯電電荷によって発生する感光体１５から中間転写ローラ３６へ働くクーロン力によってトナーは中間転写ローラ３６に転写飛翔するが、中間転写ローラ３６は感光体１５の周速に対して遅く、ここでは感光体１５の周速の１／４に設定してあり、したがって感光体１５上で６００ｄｐｉに形成した非多重トナー像は転写の際に圧縮多重状態で６００ｄｐｉのトナー像として形成されている。
【００８０】
中間転写ローラ３６上の多重トナー像は、転写位置と対向した位置で中間転写ローラ３６と逆方向に回転する転写ローラ３１との間に搬送される記録媒体２１に静電接触転写されるが、この２次転写位置での転写ローラ３１と中間転写ローラ３６との周速は等速に設定されているので、中間転写ローラ３６上に形成された画像は伸縮の無い状態で記録媒体２１へ転写される。
【００８１】
なお、図示する場合は、感光体１５と中間転写ローラ３６とが接触した状態でトナー転写される状態を示しているが、感光体１５と中間転写ローラ３６が離間した状態でトナー転写する場合、感光体１５と中間転写ローラ３６との摩擦により発生するズリ応力によって中間転写ローラ３６上に一度転写されたトナー像が乱されることを防止できる。
【００８２】
ここで、トナー転写力であるクローン力は感光体１５と中間転写ローラ３６との離間距離と相互の電位差により発生するが、この電界を過度に強くすると両者間に放電が発生し、転写前後のトナー像を散らすので、これらの間の電界は放電が発生しないパッシェン曲線以下の電界にする必要がある。感光体１５から以降の転写媒体が接触する場合に一方が曲率を有すると必然的に微小空隙が両者間に発生して放電界に達するので、放電しない電界中でトナー転写させることは言うまでもない。
【００８３】
このように、感光体１５上のトナー像を、一旦次媒体である中間転写ローラ３６に転写形成しているので、温度、湿度等の環境変化を中間転写ローラ３６で低減することができる。
【００８４】
さらには、感光体１５上の記録トナーの無いタイミング（例えば用紙の搬送間隔）でクーロン力が中間転写ローラ３６から感光体１５へ向かうよう中間転写ローラ３６に電界を形成する（たとえば中間転写ローラ３６に−２ｋＶの電位を印加する）ことで、中間転写ローラ３６に残った不要トナーが感光体１５上に逆転写して感光体１５のクリーナで回収されるので、中間転写ローラ３６の表層の紙紛やトナーから脱落滞留するシリカ等の外添剤を除去することが可能である。
【００８５】
次に、図１２を用いて、中間転写体として潜像形成体３７を用いた転写技術について説明する。
【００８６】
光電効果により潜像が形成可能な潜像形成体３７の対向位置には、潜像形成体３７の軸方向に光量が均一で感光体１５の進行方向に均一幅の露光量（感光体表面上で０．２ｍＷ、中間転写体周方向の露光幅１５μｍ）を形成する露光器３８が配置されている。この露光器３８の光源としては、半導体レーザ、ＬＥＤをライン状に配置した光源、有機ＥＬを主走査方向の平面状に形成した光源などが適用でき、有機ＥＬ、ＬＥＤ等の主走査方向に配置した光源を使用すれば、微小な露光時間を制御することで感光体１５上の潜像電位幅を瞬時かつ自由に副走査方向の露光領域幅を自在に調整することが可能である。特に、有機ＥＬは面発光が可能であるので、これを容易且つ安価に形成することが可能である。
【００８７】
さらに、潜像形成体３７の近傍には、潜像形成体３７の表面電位を均一電位させる帯電器（スコロトロン帯電器、コロナ電圧：−２ｋＶ、グリッド電圧：−５００Ｖ）３９が設置されている。
【００８８】
そして、感光体１５の非現像部と潜像形成体３７の表面電位を同電位とすることで、感光体１５上の非画像部のトナーが潜像形成体３７に転写されることが防止される。
【００８９】
潜像形成体３７を露光する露光タイミングは、感光体１５上に形成されたトナー解像度に同期してＯＮ・ＯＦＦを繰り返すようになっている。そして、感光体１５上の副走査解像度が１２００ｄｐｉであるとすると、潜像形成体３７の潜像領域ピッチは４０μｍ、非潜像領域は５μｍの潜像部が交互に形成される。
【００９０】
潜像形成体３７の潜像形成部電位は−１００Ｖ、感光体１５のトナー現像領域電位は−５００Ｖであり、電位差４００Ｖとトナー電荷によるクーロン力によってトナーは感光体１５から潜像形成体３７へ圧縮多重飛翔転写する。この転写の際、潜像形成体３７の表面には軸方向に同電位の潜像形成領域を５μｍ間隔で形成しているため、感光体１５と潜像形成体３７との最接近部で感光体１５上のトナーは潜像形成体３７の潜像を目標に圧縮飛翔転写する。
【００９１】
以上においては、光源制御をＯＮ・ＯＦＦ制御で時間分割して潜像形成体３７上に２値の潜像を形成する技術について説明したが、露光強度を３段階形成することで、潜像形成体３７上に４段階の潜像を形成することも可能である。
【００９２】
具体的には、感光体１５上のトナー像が１２００ｄｐｉの場合、潜像形成体３７上に潜像領域ピッチが４０μｍとなるようなタイミングで露光器３８から光照射する。
【００９３】
図１３は多段転写潜像の電位を示す図であり、帯電電位Ｖ０、各色の潜像電位Ｖｌ、各色の現像電位Ｖｂである。Ｖｍ１は正帯電の潜像形成体３７の表面帯電電位、Ｖｍ２，Ｖｍ３，Ｖｍ４は露光器３８で光り除電した後の表面電位でＶｍ１＞Ｖｍ２＞Ｖｍ３＞Ｖｍ４になっており、Ｖｍ４は少なくともＶｌより正の電位でかつ感光体１５上に付着してい
るトナー付着力（トナー鏡像力＋ＯＰＣ間液架橋力）より大きいクーロン力が発生する電界を感光体１５と潜像形成体３７間に形成できる電位である。
【００９４】
Ｖｍ２，Ｖｍ３，Ｖｍ４は露光器３８の光強度を３段階にすることで潜像電位を３段階形成可能であり、具体的には露光前の潜像形成体３７の表面電位は＋５００Ｖで設定しており、感光体１５の表面電位は＋５００Ｖ、＋３５０Ｖ、＋２５０Ｖ、＋１５０Ｖになる。この場合、非潜像領域は必要無く、転写画像はより細密に形成することが可能である。
【００９５】
ここで、正帯電の潜像形成体３７について説明する。
【００９６】
正帯電の潜像形成体３７は、感光体１５と同一方向に回転制御され、そのベース基材が発泡体であり、最表面は、露光によりホールと電荷を発生する電荷発生剤であるＣＧＭ剤をポリカーボネートの中に分散したＣＧＬ層で形成されている。なお、ＣＧＬ層の膜厚は３０μｍとなっている。
【００９７】
あるいは、潜像形成体３７は、感光体１５と同一方向に回転制御された発泡体であり、Ａｌ基材上には、露光による光り散乱を防止するためのＵＣＬ層が、その上には、電荷発生層ＣＧＭがポリカーボネートの中に分散されて露光によりホールと電荷を発生する感光層ＣＧＬが形成され、その上に、露光によりＣＧＬ層より発生したホールを移動させて表面の帯電電荷を中和させる電荷輸送層ＣＴＬ層が形成されている。ＣＴＬ層中は、電荷輸送剤ＣＴＭ剤がバインダー樹脂であるポリカーボネートに分散されて形成されている負帯電型の潜像形成体でもよく、この場合は、感光体１５と同一特性の材料を使用することが可能である。
【００９８】
このように、感光体１５の次媒体である中間転写体に潜像すなわちトナー転写ターゲットとしての潜像形成体を設けることで、感光体１５のトナーが次媒体へ前飛びする等のトナー散り現像が抑えられるので、正確に画像輪郭に切れのあるトナー像を形成することが可能である。
【００９９】
次に、図１４は転写予備帯電の構成を示す図である。
【０１００】
潜像形成体３７と現像器１３との間において帯電器４０が感光体１５に対向配置されている。帯電器４０はスコロトロン帯電器で、コロナ電圧−２ｋＶ、グリッド電圧−５００Ｖであり、感光体１５上の非多重トナーの上からこれを帯電し、感光表面電位は−５００Ｖに均一帯電される。この帯電工程により感光体１５上に潜像が形成された後のトナー現像された感光体１５上の表面電位を均一化することで、次工程である転写工程での潜像形成体３７と感光体１５との間に均一なトナー飛翔電界が形成可能であり、潜像形成体３７上に形成された転写潜像に感光体１５上のトナー像が均一なタイミングで飛翔圧縮転写して、潜像形成体３７に形成される転写トナー像はより詰まったトナー像となる。
【０１０１】
さらには、感光体１５上の表面電位と潜像形成体３７上の非転写潜像領域を同電位にしているので、不要なかぶりトナーを抑制することが可能である。
【０１０２】
なお、ここでは、潜像形成体３７を用いた場合の転写について説明したが、潜像形成体３７を用いることなく、記録媒体２１上に直接トナーを転写しても同様の効果が見込める。
【０１０３】
以上により、記録媒体２１上に赤、緑、青のベタ部合成色の色濃度が１．５以上で、しかも４色のトナーが現像、転写時に混入や転写かぶりすることなく色純度の高い鮮明なカラー画像が得られる。
【０１０４】
また、感光体１５に残留したトナーも完全にクリーニングできるので、クリーニング不良による地肌汚れも発生しない。
【産業上の利用可能性】
【０１０５】
本発明の画像形成装置は、感光体上の非多重トナー像を圧縮像にして記録媒体に形成しているので、トナー現像量の変動によるカラーバランスの悪化が抑制され、特に精度よく安定的に高品質のトナー像を形成することができる画像形成装置に関する。
【図面の簡単な説明】
【０１０６】
【図１】本発明の一実施の形態である画像形成装置を示す概略図
【図２】図１の画像形成装置における６００ｄｐｉの解像度変換を示す説明図
【図３】解像度変化における第１の解像度変換を示す説明図
【図４】図１の画像形成装置における２４００ｄｐｉの解像度変換を示す説明図
【図５】図１の画像形成装置における１２００ｄｐｉの解像度変換を示す説明図
【図６】解像度変換における第２の解像度変化を示す説明図
【図７】１２００ｄｐｉ解像度圧縮変換を示す説明図
【図８】３００ｄｐｉ解像度圧縮変換を示す説明図
【図９】図１の画像形成装置における第１の多諧調変換を示す説明図
【図１０】図１の画像形成装置における第２の多諧調変化を示す説明図
【図１１】本発明の他の実施の形態である画像形成装置を示す概略図
【図１２】本発明のさらに他の実施の形態である画像形成装置を示す概略図
【図１３】画像形成装置における多段転写潜像電位を示す説明図
【図１４】本発明のさらに他の実施の形態である画像形成装置を示す概略図
【図１５】従来の画像形成装置を示す概略図
【符号の説明】
【０１０７】
１    現像器（Ｙ）
２    現像器（Ｍ）
３    現像器（Ｃ）
４，５，６    ファーブラシ
７，８，９    現像ローラ
１０，１１，１２    ブレード
１３    現像器
１４    現像ローラ
１５    感光体
１６    帯電器
１７    除電器
１８    除電ランプ
１９    交流コロナ帯電器
２０    転写帯電器
２１    記録媒体
２２    定着器
２３    クリーニング前帯電器
２４    クリーナ
２５，２６，２７，２８    ＬＥＤヘッド
２９    ブレード
３０    クリーナ
３１    転写ローラ（転写部材）
３２，３３，３４，３５    現像スリーブ
３６    中間転写ローラ
３７    潜像形成体
３８    露光器
３９，４０    帯電器
【図１】
2005257988.tif 000003
【図２】
2005257988.tif 000004
【図３】
2005257988.tif 000005
【図４】
2005257988.tif 000006
【図５】
2005257988.tif 000007
【図６】
2005257988.tif 000008
【図７】
2005257988.tif 000009
【図８】
2005257988.tif 000010
【図９】
2005257988.tif 000011
【図１０】
2005257988.tif 000012
【図１１】
2005257988.tif 000013
【図１２】
2005257988.tif 000014
【図１３】
2005257988.tif 000015
【図１４】
2005257988.tif 000016
【図１５】
2005257988.tif 000017